(57)【要約】      （修正有）【課題】災害が発生した場合に迅速に避難施設を検索できる情報表示システムを提供する。【解決手段】車両Ａにおいて、情報表示システム１０は、災害が発生したか否かを判定する災害判定部２１ａと、災害が発生した場合に、避難施設の検索画面を表示させるための避難施設検索ボタンを表示部５３に表示させる表示制御部２１ｂと、を備える。検索画面は、検索された避難施設である検索避難施設のリストを含む。また、検索画面は、リストに含まれる検索避難施設のそれぞれと現在地との位置関係を示す。【選択図】図１
2019132789.tif 000002
【特許請求の範囲】
【請求項１】
災害が発生したか否かを判定する災害判定部と、
前記災害が発生した場合に、避難施設の検索画面を表示させるための避難施設検索ボタンを表示部に表示させる表示制御部と、
を備える情報表示システム。
【請求項２】
前記検索画面は、検索された前記避難施設である検索避難施設のリストを含む、
請求項１に記載の情報表示システム。
【請求項３】
前記検索画面は、前記リストに含まれる前記検索避難施設のそれぞれと現在地との位置関係を示す、
請求項２に記載の情報表示システム。
【請求項４】
前記リストにおいて、前記検索避難施設は、現在地または移動予定経路に近い順に表示される、
請求項２または請求項３のいずれかに記載の情報表示システム。
【請求項５】
前記表示制御部は、前記避難施設検索ボタンとともに前記避難施設のアイコンを地図上に表示する、
請求項１から請求項４のいずれか一項に記載の情報表示システム。
【請求項６】
前記表示制御部は、
前記災害が発生していない場合に、前記地図上にアイコンを表示する施設の属性を設定するための属性設定ボタンを表示するとともに、
前記災害が発生した場合に、前記属性設定ボタンの代わりに前記避難施設検索ボタンを表示する、
請求項５に記載の情報表示システム。
【請求項７】
コンピュータを、
災害が発生したか否かを判定する災害判定部、
前記災害が発生した場合に、避難施設の検索画面を表示させるための避難施設検索ボタンを表示部に表示させる表示制御部、
として機能させる情報表示プログラム。
【発明の詳細な説明】
【技術分野】
【０００１】
本発明は、情報表示システムおよび情報表示プログラムに関する。
【背景技術】
【０００２】
災害が発生した場合に送信される災害情報を受信した場合に、災害関連施設の位置を地図上に表示するナビゲーション装置が知られている（特許文献１、参照。）。特許文献１において、災害情報を受信した場合に、レストランや駐車場のアイコンを表示する状態から病院や避難施設のアイコンを表示する状態へと地図が遷移している。
【先行技術文献】
【特許文献】
【０００３】
【特許文献１】特開２００７−３２２３０７号公報
【発明の概要】
【発明が解決しようとする課題】
【０００４】
しかしながら、特許文献１において、ユーザが所望の避難施設が表示されるまで地図をスクロールさせる必要があり、ユーザが所望の避難施設を認識することが困難であるという問題があった。また、施設検索によってユーザが所望の避難施設を検索することも可能であるが、緊急時に避難施設を検索する画面に至るまでの操作が煩雑で、迅速に避難施設を検索できない。
本発明は、前記課題にかんがみてなされたもので、災害が発生した場合に迅速に避難施設を検索できる技術を提供することを目的とする。
【課題を解決するための手段】
【０００５】
前記の目的を達成するため、本発明の情報表示システムは、災害が発生したか否かを判定する災害判定部と、災害が発生した場合に、避難施設の検索画面を表示させるための避難施設検索ボタンを表示部に表示させる表示制御部と、備える。
【０００６】
前記の目的を達成するため、本発明の情報表示プログラムは、コンピュータを、災害が発生したか否かを判定する災害判定部、災害が発生した場合に、避難施設の検索画面を表示させるための避難施設検索ボタンを表示部に表示させる表示制御部、として機能させる。
【０００７】
以上説明した本発明の構成において、災害が発生した場合に避難施設検索ボタンを表示することにより、災害が発生した場合に簡素な操作によって迅速に避難施設を検索できるようにすることができる。
【図面の簡単な説明】
【０００８】
【図１】情報表示システムのブロック図である。
【図２】図２Ａ，図２Ｂは情報表示システムのメインＵＩ画面を示す図である。
【図３】避難施設の検索画面を示す図である。
【図４】情報表示処理のフローチャートである。
【発明を実施するための形態】
【０００９】
ここでは、下記の順序に従って本発明の実施の形態について説明する。
（１）情報表示システムの構成：
（２）情報表示処理：
（３）他の実施形態：
【００１０】
（１）情報表示システムの構成：
図１は、本発明の一実施形態にかかる情報表示システム１０の構成を示すブロック図である。情報表示システム１０は、ナビゲーションシステムであり、車両Ａに搭載された車載器である。この車両Ａには、測位部５１と通信部５２とタッチパネルディスプレイ５３とが備えられている。
【００１１】
測位部５１は、車両Ａの現在地と現在方位とを導出するために必要な信号を取得するセンサや回路であり、例えばＧＮＳＳ(Global Navigation Satellite System)の信号を受信する受信回路や車速センサやジャイロセンサ等を含んでもよい。現在方位とは、車両Ａが現在進行している方位である。通信部５２は、外部から災害情報を受信するための無線通信回路である。例えば、通信部５２は、ＶＩＣＳ（登録商標）によって配信される電波信号や光信号を受信する回路であってもよい。むろん、通信部５２は、携帯電話通信網等を介して接続されたサーバから災害情報を受信してもよい。
【００１２】
タッチパネルディスプレイ５３は、各種画像を表示する表示装置と、表示装置の表示面において運転者の操作を受け付ける入力装置とを構成する。タッチパネルディスプレイ５３は、本発明の表示部である。
【００１３】
情報表示システム１０は、制御部２０と記録媒体３０とを備えている。制御部２０は、ＣＰＵとＲＡＭとＲＯＭ等を備えたコンピュータであり、記録媒体３０等に記録された情報表示プログラム２１を実行する。
【００１４】
記録媒体３０は、地図情報３０ａを記録している。地図情報３０ａは、ノードデータとリンクデータと施設データとを含む。ノードデータは、リンク同士が接続する点であるノードの座標等を示す。３個以上のリンクが接続するノードが交差点（分岐地点、合流地点も含む）に相当する。リンクとは、道路を交差点ごとに区切った道路区間である。リンクデータは、リンクの長さ旅行時間や形状や道路種別等を示す情報である。リンクの形状は、道路区間の幅方向の中央に設定された形状補間点の座標を示す形状補間点データによって規定されている。
【００１５】
施設データとは、施設の名称や位置や属性を示す。本実施形態において、施設の属性として、商業施設とレジャー施設とレストランと各種公共施設と指定緊急避難場所（災害対策基本法第４９条の４）と指定避難所（同法第４９条の７）等が施設ごとに区別されている。指定緊急避難場所と指定避難所とは、本発明の避難施設に該当する。指定避難所は長期間の滞在をともなう避難が可能な避難施設であり、指定緊急避難場所は短期間の避難を目的とする避難施設である。施設データには、施設の属性ごとにアイコンが用意され、記録媒体３０に記録されている。
【００１６】
情報表示プログラム２１は、災害判定モジュール２１ａと表示制御モジュール２１ｂとを含む。災害判定モジュール２１ａと表示制御モジュール２１ｂとは、それぞれコンピュータとしての制御部２０を災害判定部と表示制御部として機能させるプログラムモジュールである。
【００１７】
災害判定モジュール２１ａの機能により制御部２０は、災害が発生したか否かを判定する。災害判定モジュール２１ａの機能により制御部２０は、通信部５２が受信した災害情報を取得し、当該災害情報に基づいて災害が発生したか否かを判定する。本実施形態においては、ＶＩＣＳの配信地域ごとに当該配信地域内で発生した災害情報が送信されるように構成されている。そのため、制御部２０は、災害情報を受信したことをもって、車両Ａが走行する地域にて災害が発生したと判定できる。
【００１８】
なお、災害情報は、災害の要因や程度や発生時刻や発生地点等の各種詳細情報を示してもよく、制御部２０は、各種詳細情報を案内してもよい。さらに、制御部２０は、車両Ａの現在地から災害の発生地点までの距離が判定距離（例えば３０ｋｍ）以下である場合に、災害が発生したと判定してもよい。また、制御部２０は、災害の発生時刻から現在時刻までの経過期間が判定期間（例えば３日）以下である場合に、災害が発生したと判定してもよい。また、制御部２０は、災害情報が示す災害の要因が、ユーザが除外設定した要因に該当する場合には、災害が発生したと判定しないようにしてもよい。
【００１９】
表示制御モジュール２１ｂの機能により制御部２０は、メインＵＩ画面を表示する。図２Ａは、災害が発生していない場合のメインＵＩ画面を示す。メインＵＩ画面は、おもにナビゲーション機能を実現するのためのユーザインターフェイス画面であり、地図Ｍ１，Ｍ２を含む画面である。また、車両Ａが移動する予定の移動予定経路Ｒが設定され、かつ、地図Ｍ１，Ｍ２内に移動予定経路Ｒが存在する場合、制御部２０は、メインＵＩ画面の地図Ｍ１，Ｍ２に移動予定経路Ｒを表示する。なお、情報表示プログラム２１の機能により制御部２０は、公知の探索手法によって目的地までの最適な移動予定経路Ｒを探索可能となっている。
【００２０】
災害が発生していない場合、制御部２０は、メインＵＩ画面の地図を、ユーザが設定した投影方向（鳥瞰図／平面図）と縮尺と地図方位（ヘディングアップ／ノースアップ）によって地図を描画する。平面図とは鉛直方向の上方から地面を見て投影した地図であり、鳥瞰図とは斜め上方から地面を見て投影した地図である。さらに、災害が発生していない場合、制御部２０は、ユーザの設定に応じて、メインＵＩ画面において１画面表示で地図を表示する状態と、２画面表示で地図Ｍ１，Ｍ２を表示する状態とを切り替えることが可能となっている。
【００２１】
図２Ａでは２画面表示の例が示されている。左側の地図Ｍ１が鳥瞰図の地図であり、右側の地図Ｍ２が平面図の地図である。また、図２Ａの地図Ｍ１の地図方位はヘディングアップであり、車両Ａの現在方位が地図上の上方を向くように地図が描画されている。図２Ａの地図Ｍ２の地図方位はノースアップであり、北が地図上の上方を向くように地図Ｍ２が描画されている。
【００２２】
また、原則として、制御部２０は、車両Ａの現在地Ｔ周辺の地図Ｍ１，Ｍ２をメインＵＩ画面の地図として描画する。具体的に、制御部２０は、地図を横方向に二等分する二等分線の中点から一定のオフセット距離だけ下方の基準位置に現在地Ｔが表示されるように地図を描画する。オフセット距離は、平面図と鳥瞰図とで異なってもよい。ただし、ユーザが地図をスクロールさせる操作を行った場合や、目的地の施設や検索した施設等の各種施設を表示する操作を行った場合、制御部２０は、スクロール後の位置や各種施設の位置が地図の中央に位置するように地図Ｍ１，Ｍ２を描画する。
【００２３】
表示制御モジュール２１ｂの機能により制御部２０は、災害が発生した場合に、表示部において平面図の地図を表示するように切り替え、当該平面図の地図上に避難施設を示すアイコンを表示する。表示制御モジュール２１ｂの機能により制御部２０は、災害が発生した場合に、地図情報３０ａに基づいて、平面図の地図を描画し、当該地図をタッチパネルディスプレイ５３に表示する。災害が発生する前においても平面図の地図を表示していた場合、制御部２０は、平面図の地図の表示を継続する。一方、災害が発生する前において平面図以外の地図を表示していた場合、制御部２０は、平面図の地図を表示するように切り替える。
【００２４】
ここで、平面図以外の地図には鳥瞰図も含まれる。すなわち、表示制御モジュール２１ｂの機能により制御部２０は、表示部において鳥瞰図の地図が表示されている状態において、災害が発生した場合に、表示部において表示する地図を鳥瞰図から平面図に切り替える。
【００２５】
図２Ｂは災害が発生した場合のメインＵＩ画面を示す。同図に示すように、災害が発生した場合のメインＵＩ画面において平面図の地図Ｍ３が表示される。さらに、表示制御モジュール２１ｂの機能により制御部２０は、表示部において地図が複数画面表示されている状態において、災害が発生した場合に、表示部において平面図を１画面表示するように切り替える。すなわち、災害が発生した場合、制御部２０は、図２Ａのように災害が発生する直前に２画面表示で地図Ｍ１，Ｍ２を表示していたとしても、１画面表示で地図Ｍ３を表示するように切り替える。
【００２６】
また、表示制御モジュール２１ｂの機能により制御部２０は、災害が発生した場合に、表示部において予め決められた縮尺で平面図の地図Ｍ３を表示するように切り替える。すなわち、災害が発生した場合、制御部２０は、災害が発生する直前にユーザが設定していた地図Ｍ１，Ｍ２の縮尺ではなく、記録媒体３０に記録された固定縮尺で地図Ｍ３を描画する。本実施形態において、固定縮尺は１／２万であることとする。
【００２７】
さらに、表示制御モジュール２１ｂの機能により制御部２０は、災害が発生した場合に、表示部において現在地Ｔ周辺の平面図の地図Ｍ３を表示するように切り替える。すなわち、災害が発生した場合、制御部２０は、災害が発生する直前に現在地Ｔ周辺以外の地図を表示していたとしても、現在地Ｔ周辺の平面図の地図Ｍ３を表示するように切り替える。
【００２８】
さらに、表示制御モジュール２１ｂの機能により制御部２０は、災害が発生した場合に、表示部において予め決められた方向で平面図の地図Ｍ３を表示するように切り替えてもよい。すなわち、災害が発生した場合、制御部２０は、災害が発生する直前にユーザが設定していた地図Ｍ１，Ｍ２の地図方位ではなく、記録媒体３０に記録された固定方位で地図Ｍ３を描画する。本実施形態において、固定方位はヘディングアップであることとする。
【００２９】
以上のような地図Ｍ３を描画すると、表示制御モジュール２１ｂの機能により制御部２０は、地図情報３０ａの施設データから、地図Ｍ３内に存在する避難施設を抽出し、当該抽出された避難施設の座標を取得する。そして、表示制御モジュール２１ｂの機能により制御部２０は、避難施設の座標に対応する地図Ｍ３上の位置にアイコンＩを重畳し、当該地図Ｍ３をタッチパネルディスプレイ５３に表示する。図２Ｂの地図Ｍ３においては、５個のアイコンＩが表示されている。アイコンＩは、避難施設としての指定緊急避難場所と指定避難所の双方について表示されてもよいし、指定緊急避難場所と指定避難所のいずれか一方について表示されてもよい。
【００３０】
なお、表示制御モジュール２１ｂの機能により制御部２０は、災害が発生した場合に固定方位、固定縮尺、現在地Ｔ周辺、かつ、平面図の地図Ｍ３を１画面表示で表示するが、地図Ｍ３の表示後におけるユーザの操作に応じて地図Ｍ３の表示方法を変化させてもよい。例えば、制御部２０は、ユーザによってタップされたアイコンＩが示す避難施設が中央に位置するように地図Ｍ３をスクロールさせてもよい。
【００３１】
以上説明した本実施形態において、災害が発生した場合に、平面図の地図Ｍ３上に避難施設のアイコンＩが表示されるように切り替えられるようにすることができる。従って、災害が発生した場合に、距離感を把握しやすい状態で避難施設のアイコンを表示できる。具体的に、距離感を把握し難い鳥瞰図の地図Ｍ１上にそのまま避難施設のアイコンＩを表示するのではなく、平面図の地図Ｍ３上に避難施設のアイコンＩを表示するように切り替えられるため、距離感を把握しやすい状態で避難施設のアイコンを表示できる。
【００３２】
また、災害が発生した場合に、複数画面表示されている地図Ｍ１，Ｍ２上ではなく、１画面表示された平面図の地図Ｍ３上において避難施設のアイコンＩが表示されるため、より多くのアイコンＩを認識しやすい状態で表示できる。また、災害が発生した場合に、予め決められた固定縮尺で平面図の地図Ｍ３を表示するため、アイコンＩの表示に適した縮尺で平面図の地図Ｍ３を表示できる。例えば、標準的な避難施設の設置間隔でアイコンＩを表示してもアイコンＩ同士が重ならないように固定縮尺が設定されてもよい。
【００３３】
災害が発生した場合に、現在地Ｔ周辺の平面図の地図を表示するように切り替えることにより、現在地Ｔから避難施設（アイコンＩ）までの距離感を把握しやすい状態で、平面図の地図Ｍ３を表示できる。また、災害が発生した場合に、予め決められた固定方位で平面図の地図Ｍ３を表示するように切り替えることにより、避難施設が存在する方向や位置が認識しやすくなる方向で平面図の地図Ｍ３を表示することができる。例えば、本実施形態のように、ヘディングアップの地図Ｍ３上にアイコンＩを表示することにより、車両Ａの進行方向を基準に避難施設の方向を把握できる。
【００３４】
表示制御モジュール２１ｂの機能により制御部２０は、災害が発生した場合に、避難施設の検索画面を表示させるための避難施設検索ボタンＢ１を表示部に表示させる。また、表示制御モジュール２１ｂの機能により制御部２０は、災害が発生していない場合に、地図Ｍ１，Ｍ２上にアイコンを表示する施設の属性を設定するための属性設定ボタンＢ２を表示するとともに、災害が発生した場合に、属性設定ボタンＢ２の代わりに避難施設検索ボタンＢ１を表示する。
【００３５】
すなわち、災害が発生した場合において、制御部２０は、災害が発生する直前のメインＵＩ画面にて属性設定ボタンＢ２が表示されていた位置に避難施設検索ボタンＢ１を表示する。災害が発生した場合、図２ＡのメインＵＩ画面から図２ＢのメインＵＩ画面に遷移するが、これらのメイン画面における共通の位置に避難施設検索ボタンＢ１と属性設定ボタンＢ２とが表示される。ここで、図２Ｂに示すように、災害が発生した場合のメインＵＩ画面においては、避難施設検索ボタンＢ１とともにアイコンＩが地図Ｍ３上に表示されることとなる。すなわち、災害が発生した場合、表示制御モジュール２１ｂの機能により制御部２０は、避難施設検索ボタンＢ１とともに避難施設のアイコンＩを地図Ｍ３上に表示する。
【００３６】
災害が発生していない場合のメインＵＩ画面（図２Ａ）にて属性設定ボタンＢ２が操作されると、制御部２０は、施設の属性を選択するための画面（不図示）を表示し、当該画面にて選択された属性を有する施設のアイコンを地図Ｍ１，Ｍ２に表示する。
【００３７】
一方、災害が発生した場合のメインＵＩ画面（図２Ｂ）にて避難施設検索ボタンＢ１が操作されると、制御部２０は、メインＵＩ画面の表示を終了し、避難施設の検索画面をタッチパネルディスプレイ５３に表示させる。
【００３８】
図３Ａ，図３Ｂは、避難施設の検索画面を示す。検索画面は、検索された避難施設である検索避難施設のリストＬを含む。表示制御モジュール２１ｂの機能により制御部２０は、避難施設検索ボタンＢ１が操作されると、デフォルトの検索条件に合致する避難施設である検索避難施設を検索する。本実施形態において、制御部２０は、デフォルトの検索条件として、現在地Ｔからの直線距離の短さが上位（５位以内）の避難施設を検索避難施設として検索する。検索避難施設は、指定緊急避難場所と指定避難所の双方から検索されてもよいし、指定緊急避難場所と指定避難所のいずれか一方から検索されてもよい。
【００３９】
リストＬにおいて、検索避難施設は、現在地Ｔまたは移動予定経路Ｒに近い順に表示される。本実施形態において、検索避難施設は、車両Ａの現在地Ｔからの直線距離が短い順にリストＬに表示される。制御部２０は、検索画面においてスクロールバーＺを表示し、スクロールバーＺに対する操作に応じて検索避難施設の検索条件を変化させる。具体的に、制御部２０は、スクロールバーＺが下方向にスクロールされるほど、検索避難施設として検索される現在地Ｔからの直線距離の順位を下位に繰り下げる。スクロールバーＺが操作されると、制御部２０は、再度、検索避難施設を検索し、リストＬの表示を更新する。
【００４０】
また、検索画面は、リストＬに含まれる検索避難施設のそれぞれと現在地Ｔとの位置関係を示す。移動予定経路Ｒが設定されていない場合、制御部２０は、"ルート沿い考慮なし"の検索画面を表示する。図３Ａは、"ルート沿い考慮なし"の検索画面を示す。具体的に、制御部２０は、現在地Ｔから検索避難施設に向かう地図Ｍ３上のベクトルの方向を指し示す矢印を、"ルート沿い考慮なし"の検索画面のリストＬ（相対位置表示部Ｐ）に表示する。さらに、制御部２０は、"ルート沿い考慮なし"の検索画面のリストＬにおいて、現在地Ｔから検索避難施設までの直線距離を表示する。
【００４１】
一方、移動予定経路Ｒが設定されている場合、制御部２０は、"ルート沿い考慮"の検索画面を表示する。図３Ｂは、"ルート沿い考慮"の検索画面を示す。具体的に、制御部２０は、検索避難施設に行くために移動予定経路Ｒから逸脱する地点である分岐地点を取得し、現在地Ｔから分岐地点までの移動予定経路Ｒ上の距離を、"ルート沿い考慮"の検索画面のリストＬ（相対位置表示部Ｐ）に表示する。例えば、"３０ｍ先直進"のうちの"３０ｍ先"が分岐地点までの移動予定経路Ｒ上の距離を示す。さらに、制御部２０は、"ルート沿い考慮"の検索画面のリストＬにおいて、検索避難施設に行くための分岐地点での進行方向を表示する。例えば、"３０ｍ先直進"のうちの"直進"が分岐地点での進行方向を示す。制御部２０は、各検索避難施設を目的地とする最適な経路を探索し、当該経路と移動予定経路Ｒとが分岐する地点を分岐地点として取得する。なお、移動予定経路Ｒが設定されている場合であっても、ユーザの指定に応じて"ルート沿い考慮なし"の検索画面を表示してもよい。
【００４２】
以上説明した本実施形態において、災害が発生した場合に避難施設検索ボタンＢ１を表示することにより、災害が発生した場合に簡素な操作によって迅速に避難施設を検索できるようにすることができる。属性設定ボタンＢ２の代わりに避難施設検索ボタンＢ１を表示することにより、ボタン表示エリアをコンパクトに保つことができる。災害が発生した場合には、属性が避難施設以外の施設のアイコンを表示する必要性が低くなり、属性設定ボタンＢ２を表示する必要性も低くなるため、ユーザが不満を感じる可能性も低いと言える。
【００４３】
検索画面は、検索された避難施設である検索避難施設のリストＬを含む。これにより、リストＬにおいて、検索条件を満足する避難施設を認識したり、比較したりすることができる。また、検索画面は、リストＬに含まれる検索避難施設のそれぞれと現在地Ｔとの位置関係を示す。これにより、検索避難施設と現在地Ｔとの位置関係に基づいて、検索避難施設への行きやすさを認識することができる。
【００４４】
また、リストＬにおいて、検索避難施設は、現在地Ｔまたは移動予定経路Ｒに近い順に表示される。これにより、現在地または移動予定経路から行きやすい検索避難施設を容易に見つけることができる。制御部２０は、避難施設検索ボタンＢ１とともに避難施設のアイコンＩを地図Ｍ３上に表示する。この構成において、地図Ｍ３上に所望の避難施設のアイコンＩが表示されていれば避難施設を検索しなくて済むとともに、地図Ｍ３上のアイコンＩに所望の避難施設を示すものがなくても迅速に避難施設を検索できる。
【００４５】
（２）情報表示処理：
図４は、情報表示処理のフローチャートである。まず、表示制御モジュール２１ｂの機能により制御部２０は、災害が発生していない場合のメインＵＩ画面を表示する（ステップＳ１００）。すなわち、制御部２０は、ユーザが設定した投影方向（鳥瞰図／平面図）と縮尺と地図方位（ヘディングアップ／ノースアップ）で描画した地図Ｍ１，Ｍ２を１画面表示または２画面表示にて表示する（図２Ａ）。
【００４６】
次に、災害判定モジュール２１ａの機能により制御部２０は、災害が発生したか否かを判定する（ステップＳ１１０）。すなわち、制御部２０は、災害情報を受信したか否かを判定する。災害が発生したと判定しなかった場合（ステップＳ１１０：Ｎ）、制御部２０は、ステップＳ１００に戻る。すなわち、災害が発生していない場合のメインＵＩ画面の表示を継続する。
【００４７】
一方、災害が発生したと判定した場合（ステップＳ１１０：Ｙ）、表示制御モジュール２１ｂの機能により制御部２０は、災害モードが有効であるか否かを判定する（ステップＳ１２０）。災害モードが有効／無効の設定は、例えば情報表示システム１０の初期設定画面において設定可能であってもよい。また、図２Ｂに示すように、制御部２０は、災害が発生した場合のメインＵＩ画面においてモード指定ボタンＢ３を表示し、当該モード指定ボタンＢ３がタップされるごとに、災害モードの有効／無効の指定を受け付けてもよい。
【００４８】
災害モードが有効であると判定しなかった場合（ステップＳ１２０：Ｎ）、制御部２０は、ステップＳ１００に戻る。すなわち、災害が発生していない場合のメインＵＩ画面の表示を継続する。
【００４９】
一方、災害モードが有効であると判定した場合（ステップＳ１２０：Ｙ）、表示制御モジュール２１ｂの機能により制御部２０は、平面図の１画面表示に切り替える（ステップＳ１３０）。すなわち、制御部２０は、図２Ａのように災害が発生する直前のメインＵＩ画面にて２画面表示で地図Ｍ１，Ｍ２を表示していた場合には、１画面表示で１個の地図Ｍ３を表示するように切り替える。さらに、制御部２０は、１画面表示で表示する地図Ｍ３を平面図に切り替える。
【００５０】
次に、表示制御モジュール２１ｂの機能により制御部２０は、縮尺と地図方位とを切り替える（ステップＳ１５０）。すなわち、制御部２０は、災害が発生する直前におけるメインＵＩ画面の地図Ｍ１，Ｍ２の縮尺と地図方位に拘わらず、予め決められた固定縮尺（例えば１／２万）と固定方位（例えばヘディングアップ）の地図Ｍ３に切り替える。
【００５１】
次に、表示制御モジュール２１ｂの機能により制御部２０は、避難施設のアイコンＩを地図Ｍ３上に表示する（ステップＳ１６０）。すなわち、制御部２０は、地図情報３０ａの施設データから、地図Ｍ３内の避難施設を抽出し、当該抽出された避難施設の座標を取得する。そして、制御部２０は、避難施設の座標に対応する地図Ｍ３上の位置にアイコンＩを重畳し、当該地図Ｍ３をタッチパネルディスプレイ５３に表示する。
【００５２】
次に、表示制御モジュール２１ｂの機能により制御部２０は、属性設定ボタンＢ２を避難施設検索ボタンＢ１に切り替える（ステップＳ１７０）。すなわち、制御部２０は、属性設定ボタンＢ２の代わりに避難施設検索ボタンＢ１を表示する。以上の処理（ステップＳ１３０〜Ｓ１７０）により、災害が発生した場合のメインＵＩ画面が表示されることとなる（図２Ｂ）。
【００５３】
次に、表示制御モジュール２１ｂの機能により制御部２０は、避難施設検索ボタンＢ１が操作されたか否かを判定する（ステップＳ１８０）。避難施設検索ボタンＢ１が操作されたと判定しなかった場合（ステップＳ１８０：Ｎ）、表示制御モジュール２１ｂの機能により制御部２０は、災害が解除されたか否かを判定する（ステップＳ１９０）。例えば、制御部２０は、災害情報が一定期間以上受信されなくなった場合や、災害が収束したことを示す災害情報を受信した場合や、車両Ａの現在地Ｔが災害地域から離脱した場合に、災害が解除されたと判定してもよい。
【００５４】
災害が解除されたと判定した場合（ステップＳ１９０：Ｙ）、制御部２０は、ステップＳ１００に戻り、災害が発生していない場合のメインＵＩ画面を表示する状態に復帰する。一方、災害が解除されたと判定しなかった場合（ステップＳ１９０：Ｎ）、制御部２０は、ステップＳ１８０に戻り、避難施設検索ボタンＢ１が操作されるまで待機する。
【００５５】
避難施設検索ボタンＢ１が操作されたと判定した場合（ステップＳ１８０：Ｙ）、表示制御モジュール２１ｂの機能により制御部２０は、避難施設の検索画面を表示する（ステップＳ２００）。この検索画面には、デフォルトの検索条件（現在地Ｔまでの直線距離が上位５位以内）で検索された検索避難施設のリストＬが含まれる。また、移動予定経路Ｒの有無に応じて、制御部２０は、図３Ｂの"ルート沿い考慮"の検索画面と、図３Ａの"ルート沿い考慮なし"の検索画面とを切り替える。
【００５６】
次に、表示制御モジュール２１ｂの機能により制御部２０は、検索画面における操作が何であったかを判定する（ステップＳ２１０）。検索画面のリストＬにおいて検索避難施設を選択する操作を受け付けた場合、表示制御モジュール２１ｂの機能により制御部２０は、表示制御処理を終了し、当該検索避難施設を目的地として設定するための処理へと移行する。
【００５７】
検索画面においてスクロールバーＺに対する操作を受け付けた場合、表示制御モジュール２１ｂの機能により制御部２０は、ステップＳ２００に戻る。すなわち、制御部２０は、スクロールバーＺに対する操作に応じて検索避難施設の検索条件とする現在地Ｔまでの直線距離の順位を変化させ、リストＬを更新する。一方、図３Ａ，図３Ｂに示す検索画面の右上のリターンボタンＢ４が操作された場合、表示制御モジュール２１ｂの機能により制御部２０は、災害が発生した場合のメインＵＩ画面を表示する状態に復帰し（ステップＳ２２０）、ステップＳ１８０に戻る。
【００５８】
（３）他の実施形態：
災害が発生した場合に、制御部２０は、必ずしも地図を１画面表示に切り替えなくてもよい。すなわち、制御部２０は、災害が発生した場合にも、地図を２画面表示する状態を維持し、少なくとも１個の地図を平面図に切り替えて、当該平面図上にアイコンＩを表示してもよい。さらに、災害が発生した場合に、制御部２０は、必ずしも地図を固定縮尺に切り替えなくてもよい。
【００５９】
すなわち、制御部２０は、災害が発生した場合に、災害が発生する直前の縮尺で平面図を表示してもよい。同様に、災害が発生した場合に、制御部２０は、必ずしも地図を固定方位に切り替えなくてもよい。すなわち、制御部２０は、災害が発生した場合に、災害が発生する直前の地図方位で平面図を表示してもよい。
【００６０】
さらに、制御部２０は、必ずしも移動予定経路Ｒの有無に応じて図３Ｂの"ルート沿い考慮"の検索画面と、図３Ａの"ルート沿い考慮なし"の検索画面とを切り替えなくてもよい。例えば、制御部２０は、移動予定経路Ｒが設定されている場合でも、図３Ａの"ルート沿い考慮なし"の検索画面を表示してもよい。
【００６１】
さらに、制御部２０は、避難施設のアイコンＩを表示するにあたり、上述した項目以外の地図の設定を切り替えてもよい。例えば、制御部２０は、災害が発生した場合に、地図上に表示する地物の種類や地図上の表示色の種類を通常よりも減少させることにより、地図をシンプルにした上でアイコンＩを表示してもよい。
【００６２】
また、検索画面は必ずしも検索避難施設のリストＬを含まなくてもよく、制御部２０は、現在地Ｔからの距離等の検索条件を指定するための表示領域と検索実行ボタンによって構成された検索画面を表示してもよい。さらに、リストＬは、必ずしも検索避難施設と現在地Ｔとの位置関係を示さなくてもよく、検索避難施設と現在地Ｔとの位置関係の表示が省略されてもよい。
【００６３】
さらに、制御部２０は、災害が発生した場合に、属性設定ボタンＢ２の代わりに避難施設検索ボタンＢ１を表示しなくてもよく、属性設定ボタンＢ２とともに避難施設検索ボタンＢ１を表示してもよい。この場合でも、避難施設検索ボタンＢ１を操作して迅速に避難施設を検索できる。
【００６４】
また、検索避難施設は、リストＬにおいて現在地Ｔまたは移動予定経路Ｒに近い順以外の順序で表示されてもよい。例えば、制御部２０は、リストＬにおいて、指定避難所を指定緊急避難場所よりも優先した順序で検索避難施設を表示してもよい。さらに、制御部２０は、検索避難施設としての指定避難所を規模（収容人数等）の大きい順で表示してもよい。さらに、制御部２０は、必ずしも災害が発生した場合に平面図の地図に切り替えなくてもよい。
【００６５】
情報表示システムは、車両の一部であってもよいし、カーナビゲーションシステム等の車載器であってもよいし、ユーザが携帯するスマートフォン等の携帯端末であってもよい。情報表示システムは、ＵＩ画面を表示する表示部を備えてもよいし、通信を介して外部の表示部を制御してもよい。災害が発生したとは、基準地点において災害が発生したことであってもよく、災害が発生したエリアに基準地点が含まれることであってもよい。基準地点とは、地図を表示する対象の地点であり、例えばユーザの現在地であってもよい。さらに、基準地点とは、ユーザが指定した任意の地点（例えば目的地）であってもよいし、現在地図が表示されている地点であってもよいし、ユーザが移動する予定の経路上の地点あってもよい。
【００６６】
災害とは、避難を要する事象であり、自然災害であってもよいし、人為的災害であってもよい。具体的に、災害には、火災，風水害，地震，土砂災害，雷，雪，大規模事故，戦争，テロ等が含まれてもよい。さらに、災害とは、発生時刻からの経過期間が一定期間以内の災害に限定されてもよいし、限定されなくてもよい。
【００６７】
災害判定部は、外部から受信した災害に関する情報に基づいて災害が発生したか否かを判定してもよいし、各種センサにおける周囲環境の計測結果に基づいて災害が発生したか否かを判定してもよいし、ユーザによって災害発生ボタン等が操作されたことをもって災害が発生したと判定してもよい。
【００６８】
表示部とは、表示制御部の制御の下で画像を表示する装置である。避難施設の検索画面とは、避難施設を検索するための画面であり、少なくとも検索条件を設定するための表示要素を含む。検索条件とは、検索したい避難施設が有する属性やキーワードや位置や方向等であってもよい。また、検索画面は、検索結果のソート条件を設定するための表示要素を含んでもよい。また、検索画面には検索ボタンが含まれてもよく、検索ボタンが操作された場合に、検索結果を表す画面に遷移してもよい。なお、検索ボタンが操作されなくても、デフォルトの検索条件によって検索された検索結果が検索画面において表示されてもよい。
【００６９】
さらに、検索画面は、検索された避難施設である検索避難施設のリストを含んでもよい。これにより、リストにおいて、検索条件を満足する避難施設を認識したり、比較したりすることができる。検索条件は、例えばデフォルトの検索条件であってもよいし、ユーザが最後に設定した検索条件であってもよい。
【００７０】
また、検索画面は、リストに含まれる検索避難施設のそれぞれと現在地との位置関係を示してもよい。これにより、検索避難施設と現在地との位置関係に基づいて、検索避難施設への行きやすさを認識することができる。従って、避難すべき検索避難施設を容易に認識できる。位置関係とは、現在地と検索避難施設との間の直線距離であってもよいし、現在地から検索避難施設までの経路上の距離であってもよいし、現在地から見た検索避難施設の方向であってもよい。
【００７１】
さらに、リストにおいて、検索避難施設は、現在地または移動予定経路に近い順に表示されてもよい。このようにすることにより、現在地または移動予定経路から行きやすい検索避難施設を容易に見つけることができる。
【００７２】
さらに、表示制御部は、避難施設検索ボタンとともに避難施設のアイコンを地図上に表示してもよい。この構成において、地図上に所望の避難施設のアイコンが表示されていれば避難施設を検索しなくて済むとともに、地図上のアイコンに所望の避難施設を示すものがなくても迅速に避難施設を検索できる。
【００７３】
また、表示制御部は、災害が発生していない場合に、地図上にアイコンを表示する施設の属性を設定するための属性設定ボタンを表示するとともに、災害が発生した場合に、属性設定ボタンの代わりに避難施設検索ボタンを表示してもよい。このように属性設定ボタンの代わりに避難施設検索ボタンを表示することにより、ボタン表示エリアをコンパクトに保つことができる。災害が発生した場合には、属性が避難施設以外の施設のアイコンを表示する必要性が低くなり、属性設定ボタンを表示する必要性も低くなるため、ユーザが不満を感じる可能性も低いと言える。
【００７４】
さらに、本発明のように、災害が発生した場合に避難施設検索ボタンを表示する手法は、プログラムや方法としても適用可能である。また、以上のようなシステム、プログラム、方法は、単独の装置として実現される場合もあれば、車両に備えられる各部と共有の部品を利用して実現される場合もあり、各種の態様を含むものである。例えば、以上のような装置を備えた情報表示システム、情報表示システムや方法、プログラムを提供することが可能である。また、一部がソフトウェアであり一部がハードウェアであったりするなど、適宜、変更可能である。さらに、装置を制御するプログラムの記録媒体としても発明は成立する。むろん、そのソフトウェアの記録媒体は、磁気記録媒体であってもよいし半導体メモリであってもよいし、今後開発されるいかなる記録媒体においても全く同様に考えることができる。
【符号の説明】
【００７５】
１０…情報表示システム、２０…制御部、２１…情報表示プログラム、２１ａ…災害判定モジュール、２１ｂ…表示制御モジュール、３０…記録媒体、３０ａ…地図情報、５１…測位部、５２…通信部、５３…タッチパネルディスプレイ、Ａ…車両、Ｂ１…避難施設検索ボタン、Ｂ２…属性設定ボタン、Ｂ３…モード指定ボタン、Ｂ４…リターンボタン、Ｉ…アイコン、Ｌ…リスト、Ｍ１〜Ｍ３…地図、Ｐ…相対位置表示部、Ｒ…移動予定経路、Ｔ…現在地、Ｚ…スクロールバー
【図１】
2019132789.tif 000003
【図２】
2019132789.tif 000004
【図３】
2019132789.tif 000005
【図４】
2019132789.tif 000006